(57)【要約】      （修正有）【課題】低温貯蔵庫の庫内の陰圧を解消する庫内圧調整装置を提供する。【解決手段】断熱筐体２を構成する断熱壁の庫外側から庫内側へ貫通する貫通孔２１ａ，２２ａと、雌螺子８２ｂを有する第１筒部８２ｃと、第１筒部の一端に設けられる第１鍔部８２ａとを含み、第１筒部が貫通孔の庫外側又は庫内側の何れか一方側から挿入されると共に、第１鍔部が断熱壁の壁面の一方側に当接する第１部材８２と、雄螺子８１ｂを有する第２筒部８１ｃと、第２筒部の一端に設けられる第２鍔部８１ａとを含み、第２筒部が貫通孔の他方側から挿入されると共に雄螺子が雌螺子と螺合されることにより第２鍔部が壁面の他方側に当接し、第１部材と共に壁面同士の間に庫内圧調整路を形成する第２部材と、断熱壁の庫外側の壁面から庫内圧調整路に挿入される栓部８３ｆを含み、庫内圧調整路を開放又は閉塞する着脱可能な第３部材８３とを備える。【選択図】図１
2010025471.tif 000002
【特許請求の範囲】
【請求項１】
開口面を有する断熱筐体と、前記開口面を開放又は閉塞する断熱扉と、前記断熱筐体の内部に収容された物品を冷却する冷凍装置と、を含んで構成される低温貯蔵庫の庫内圧調整装置において、
前記断熱筐体を構成する断熱壁の庫外側から庫内側へ貫通する貫通孔と、
雌螺子を有する第１筒部と、前記第１筒部の一端に設けられる第１鍔部とを含み、前記第１筒部が前記貫通孔の庫外側又は庫内側の何れか一方側から挿入されると共に前記第１鍔部が前記断熱壁の壁面の一方側に当接する第１部材と、
雄螺子を有する第２筒部と、前記第２筒部の一端に設けられる第２鍔部とを含み、前記第２筒部が前記貫通孔の他方側から挿入されると共に前記雄螺子が前記雌螺子と螺合されることにより前記第２鍔部が前記壁面の他方側に当接し、前記第１部材と共に前記壁面同士の間に庫内圧調整路を形成する第２部材と、
前記断熱壁の庫外側の壁面から前記庫内圧調整路に挿入される栓部を含み、前記庫内圧調整路を開放又は閉塞する着脱可能な第３部材と、
を備えたことを特徴とする低温貯蔵庫の庫内圧調整装置。
【請求項２】
前記貫通孔の一方側は、前記壁面の庫外側であり、
前記貫通孔の他方側は、前記壁面の庫内側である
ことを特徴とする請求項１に記載の低温貯蔵庫の庫内圧調整装置。
【請求項３】
前記栓部は、前記第１筒部の雌螺子と螺合する雄螺子を有する
ことを特徴とする請求項１に記載の低温貯蔵庫の庫内圧調整装置。
【請求項４】
前記第３部材は、前記栓部に結合される把持部を有する
ことを特徴とする請求項１乃至３の何れかに記載の低温貯蔵庫の庫内圧調整装置。
【請求項５】
前記断熱壁は、内部に発泡断熱材が充填される
ことを特徴とする請求項１乃至４の何れかに記載の低温貯蔵庫の庫内圧調整装置。
【発明の詳細な説明】
【技術分野】
【０００１】
本発明は、低温貯蔵庫の庫内圧調整装置に関する。
【背景技術】
【０００２】
冷凍物品等の貯蔵や、生体組織及び検体等の冷却保存に用いられる低温貯蔵庫は、庫内の空気が冷却されることにより、庫内の温度が低くなるほど、庫内の気圧が庫外の気圧よりも低い陰圧の状態となる場合がある。そこで、例えば特許文献１には、庫内の陰圧状態を解消するため、扉を貫通する調圧口と、扉を開閉するための操作レバーの操作に連動して調圧口を開閉する開閉弁と、を備えた低温貯蔵庫が開示されている。
【特許文献１】特開平５−１４１８４８号公報
【発明の開示】
【発明が解決しようとする課題】
【０００３】
しかし、上記の低温貯蔵庫は、操作レバーと開閉弁が連動するための機構が必要になる。更に、上記の低温貯蔵庫は、庫内の気圧調整が必要であるか否かに関わらず、操作レバーの操作により扉を開閉する都度、開閉弁による調圧口の開閉も行われる。そのため、扉の開閉が繰り返されると、操作レバーと開閉弁との間に介在する機構が劣化又は破損し、調圧口を十分に閉じることが出来なくなる虞があり、この結果、調圧口を介して庫内から庫外へ冷気が漏れる虞があった。
【課題を解決するための手段】
【０００４】
前述した課題を解決する主たる発明は、開口面を有する断熱筐体と、前記開口面を開放又は閉塞する断熱扉と、前記断熱筐体の内部に収容された物品を冷却する冷凍装置と、を含んで構成される低温貯蔵庫の庫内圧調整装置において、前記断熱筐体を構成する断熱壁の庫外側から庫内側へ貫通する貫通孔と、雌螺子を有する第１筒部と、前記第１筒部の一端に設けられる第１鍔部とを含み、前記第１筒部が前記貫通孔の庫外側又は庫内側の何れか一方側から挿入されると共に前記第１鍔部が前記断熱壁の壁面の一方側に当接する第１部材と、雄螺子を有する第２筒部と、前記第２筒部の一端に設けられる第２鍔部とを含み、前記第２筒部が前記貫通孔の他方側から挿入されると共に前記雄螺子が前記雌螺子と螺合されることにより前記第２鍔部が前記壁面の他方側に当接し、前記第１部材と共に前記壁面同士の間に庫内圧調整路を形成する第２部材と、前記断熱壁の庫外側の壁面から前記庫内圧調整路に挿入される栓部を含み、前記庫内圧調整路を開放又は閉塞する着脱可能な第３部材と、を備える。
【０００５】
本発明の他の特徴については、添付図面及び本明細書の記載により明らかとなる。
【発明の効果】
【０００６】
本発明によれば、低温貯蔵庫の庫内の陰圧を確実に解消することが可能となる。
【発明を実施するための最良の形態】
【０００７】
本明細書および添付図面の記載により、少なくとも以下の事項が明らかとなる。
【０００８】
以下、図１を参照して、低温貯蔵庫１の構成を説明する。図１は、本実施形態に係る低温貯蔵庫１の斜視図である。尚、図１において、Ｘ軸を低温貯蔵庫１に対する左右の方向とし、Ｙ軸を低温貯蔵庫１に対する上下の方向とし、Ｚ軸を低温貯蔵庫１に対する前後の方向とする。低温貯蔵庫１は、例えば−８５℃以下の超低温度域において、冷凍物品等の貯蔵や、生体組織等の保存を行うものである。
【０００９】
低温貯蔵庫１は、前面に開口面を有する断熱筐体２と、断熱筐体２の開口面を開放又は閉塞する断熱外扉３と、断熱筐体２の−Ｙ方向の下部に設けられる機械室４とにより構成される。尚、機械室４には不図示の、圧縮機、凝縮器、減圧器、蒸発器から構成される冷凍装置のうち、蒸発器を除く構成が収容されている。また、後述するように断熱筐体２は、庫外側の壁面を構成する外箱２１と、庫内側の壁面を構成する内箱２２を有する。蒸発器を構成するパイプは、断熱筐体２の外箱２１と内箱２２との間における、内箱２２の側面の周囲に、庫内と熱交換を行うように取り付けられている。そのため、冷凍装置が動作し、圧縮機、凝縮器、減圧器、蒸発器を冷媒配管を通して冷媒が循環することによって、低温貯蔵庫１の庫内は冷却される。
【００１０】
断熱外扉３の前面には、庫内の温度の設定等を行うためのコントロールパネル３４が設けられる。また、断熱外扉３は、断熱筐体２におけるＸ方向の右端を中心に回動するように断熱筐体２に取り付けられている。断熱外扉３における−Ｘ方向の左端には、断熱外扉３を開閉操作するためのレバー６１が設けられる。断熱筐体２における−Ｘ方向の側面のＺ方向の前端には、断熱外扉３を閉塞する場合にはレバー６１と係止され、断熱外扉３を開放する場合にはレバー６１との係止が解除される係止部６２が設けられる。
【００１１】
断熱筐体２における−Ｘ方向の左端の側面には係止部６２と共に、庫内圧調整装置８が設けられる。尚、低温貯蔵庫１の庫内の空気が冷却されて収縮すると、庫内の気圧が庫外の気圧よりも低い陰圧の状態となる。庫内圧調整装置８は、低温貯蔵庫１の庫内が、断熱外扉３を開放することが困難となる程の陰圧の状態となった場合に、庫内の気圧を調整して当該陰圧の状態を解消するためのものである。
【００１２】
以下、図２を参照して、庫内圧調整装置８の構造について説明する。図２は、図１の破線で囲まれた部分２ａを拡大して示した場合の、庫内圧調整装置８の分解斜視図である。
【００１３】
庫内圧調整装置８は、第１部材８２と、第２部材８１と、第３部材８３とを有する。第１部材８２は、例えば樹脂製の第１筒部８２ｃ及び第１鍔部８２ａからなる。第１筒部８２ｃには雌螺子８２ｂが形成される。第１鍔部８２ａは第１筒部８２ｃの一端に第１筒部８２ｃと一体に形成される。第２部材８１は、例えば樹脂製の第２筒部８１ｃ及び第２鍔部８１ａからなる。第２筒部８１ｃには、第１筒部８２ｃの雌螺子８２ｂと螺合させるための雄螺子８１ｂが形成される。第２鍔部８１ａは第２筒部８１ｃの一端に第２鍔部８１ｃと一体に形成される。
【００１４】
第３部材８３は、例えば樹脂製の栓８３ｆ（栓部）及びツマミ８３ａ（把持部）とからなる。栓８３ｆには、第１筒部８２ｃの雌螺子８２ｂと螺合させるための雄螺子８３ｂが形成される。栓８３ｆの一端から他端までの距離（図３ＢのＡによって示される距離）は後述の所定の長さとなっている。ツマミ８３ａは栓８３ｆの一端に栓８３ｆと一体に形成され、例えば栓８３ｆより直径が長い円柱形状となっている。また、第３部材８３は、熱伝導率や雄螺子８３ｂを形成するための加工性等の観点からＡＢＳ樹脂から構成されてもよい。また、雄螺子８３ｂと雌螺子８２ｂとを螺合させる際にツマミ８３ａを摘みやすいように、ツマミ８３ａの栓８３ｆと反対側の端面には、指を挿入することが可能な挿入孔８３ｃが設けられる。また、ツマミ８３ａの栓８３ｆ側の端面には、栓８３ｆの円周に沿って溝８３ｄが設けられ、溝８３ｄには、パッキン８３ｅが嵌め込まれる。
【００１５】
庫内圧調整装置８の各々の構成は、断熱筐体２に対して以下の様に設けられている。尚、断熱筐体２は、後述の外箱２１と、内箱２２と、発泡断熱材５とからなる。断熱筐体２の庫外側の壁面は外箱２１の庫外側の壁面であり、断熱筐体２の庫内側の壁面は内箱２２の庫内側の壁面である。また、外箱２１には、外箱２１の壁面を貫通する後述の貫通孔２１ａが設けられる。内箱２２には、内箱２２の壁面を貫通する後述の貫通孔２２ａが設けられる。
【００１６】
第１筒部８２ｃが貫通孔２１ａに外箱２１の庫外側から挿入され、第２筒部８１ｃが貫通孔２２ａに内箱２２の庫内側から挿入される。そして、外箱２１と内箱２２の間で雄螺子８１ｂと雌螺子８２ｂとが螺合されることにより、第１鍔部８２ａは外箱２１の壁面に庫外側から当接し、第２鍔部８１ａは内箱２２の壁面に庫内側から当接する。よって、第１部材８２と第２部材８１は、螺合された第１筒部８１ｃと第２筒部８２ｃとが断熱筐体２の庫外側と庫内側の壁面を貫通すると共に、第１鍔部８２ａと第２鍔部８１ａとが断熱筐体２の庫外側と庫内側から断熱筐体２の壁面を押圧するように結合される。
【００１７】
一体に結合された第１部材８２と第２部材８１の中空部分によって、外箱２１と内箱２２の壁面同士の間に、断熱筐体２の庫外と庫内の間を連通する庫内圧調整路８ａが形成される。庫内圧調整路８ａに対して、外箱２１の庫外側から栓８３ｆが挿入され、雄螺子８３ｂと雌螺子８２ｂが螺合される。これによって、パッキン８３ｅが第１鍔部８２ａの庫外側の開口の周囲に当接するように、庫内圧調整路８ａに第３部材８３が取り付けられる。尚、第３部材８３は、庫内圧調整路８ａに対して着脱可能である。庫内圧調整路８ａに第３部材８３が取り付けられた場合に庫内圧調整路８ａは閉塞される。庫内圧調整路８ａから第３部材８３が取り外された場合に庫内圧調整路８ａは開放される。
【００１８】
次に、図３Ａ及び図３Ｂを参照して、低温貯蔵庫１の内部の構成について説明する。尚、図３Ａは低温貯蔵庫１の平面図である。図３Ｂは図３Ａにおいて円２ｂで囲まれた部分を拡大した図である。断熱筐体２は、例えば金属製の外箱２１及び内箱２２と、発泡断熱材５を有する。外箱２１及び内箱２２は前面に開口面を有し、外箱２１は内箱２２を覆っている。また、外箱２１には貫通孔２１ａが設けられる。貫通孔２１ａは、第１筒部８２ｃの外径以上であって第１鍔部８２ａの直径よりも短い直径を有する。内箱２２の、貫通孔２１ａに対向する位置には、貫通孔２２ａが設けられる。貫通孔２２ａは、第２筒部８１ｃの外径以上であって第２鍔部８１ａの直径よりも短い直径を有する。
【００１９】
発泡断熱材５は、断熱筐体２の断熱性を高めるため、外箱２１と内箱２２の間に充填される。尚、発泡断熱材５は、例えばポリウレタン樹脂の原液を外箱２１と内箱２２との間で直接発泡させることにより充填される。発泡断熱材５の充填は、例えば、外箱２１と内箱２２の間で雌螺子８２ｂと雄螺子８１ｂとが螺合され、第１部材８２と第２部材８１とが結合されている状態において行われる。このように第１部材８２と第２部材８１とが結合された状態で発泡断熱材５が充填される場合、充填された発泡断熱材５が第１筒部８２ｃ及び第２筒部８１ｃを押圧する。さらに、発泡断熱材５が発泡ポリウレタン樹脂からなる場合、ポリウレタン樹脂が発泡される際に外箱２１及び内箱２２の壁面や、第１筒部８２ｃ及び第２筒部８１ｃに接着する。よって、第１部材８２と第２部材８１とが、断熱筐体２の貫通孔２１ａ、２２ａにおいて、動かないように固定され、雌螺子８２ｂと雄螺子８１ｂとの螺合は外れにくくなる。
【００２０】
断熱外扉３は、例えば金属製の外板３１及び内板３２を有する。外板３１と内板３２との間には、例えば外箱２１と内箱２２との間に発泡断熱材５が充填される場合と同様の方法によって、発泡断熱材５が充填される。断熱外扉３の庫内側の周縁部には、断熱外扉３が断熱筐体２の開口面を閉塞する際に、断熱外扉３と断熱筐体２との間に隙間を生じさせないようにパッキン３３が設けられる。低温貯蔵庫１における、断熱外扉３の庫内側には、庫内に対する断熱性を高めるため、内箱２２の開口面を開放又は閉塞する断熱内扉７が設けられる。
【００２１】
以上から、低温貯蔵庫１において、庫内圧調整路８ａ及び断熱外扉３が閉塞される場合、庫内の気密性が保たれ、庫内から庫外への冷気漏れが防止される。また、低温貯蔵庫１の庫内が断熱外扉３の開放が困難となるような陰圧の状態となっている場合に、庫内圧調整路８ａが開放されると、庫外と庫内の間が連通され、略密閉状態となっていた庫内に庫外の空気が流入する。この結果、低温貯蔵庫１の庫内の陰圧の状態が解消され、断熱外扉３の開放が容易になる。
【００２２】
ここで、開放された庫内圧調整路８ａからは、低温貯蔵庫１の庫内へ庫外の熱が侵入しやすい。よって、低温貯蔵庫１の庫内の陰圧を解消するとき以外は、庫内圧調整路８ａを第３部材８３によって、庫外からの熱の侵入を防ぐように閉塞する必要がある。第３部材８３によって庫内圧調整路８ａを閉塞する際、庫内圧調整路８ａ内に栓８３ｆがねじ込まれる。庫内圧調整路８ａにおいて、栓８３ｆが挿入された部分は、栓８３ｆの断熱性によって、熱が伝わりにくくなる。よって、栓８３ｆの一端から他端までの所定の長さとは、第３部材８３によって閉塞された庫内圧調整路８ａから低温貯蔵庫１の庫内に庫外の熱が侵入することを防ぐことができるような長さである。
【００２３】
以下、断熱外扉３の開放が困難となる程、低温貯蔵庫１の庫内が陰圧の状態になっている場合における、庫内圧調整装置８の操作について説明する。
【００２４】
先ず、ツマミ８３ａを摘んで、第３部材８３を雄螺子８３ｂと雌螺子８２ｂの螺合が外れる方向に回転させる。尚、図４Ａ及び図４Ｂにおいて、白抜き矢印によって、上記の螺合が外れる方向と、上記の螺合が外れる方向に回転された第３部材８３が進む方向とが示されている。これによって、第３部材８３を庫内圧調整路８ａから取り外して庫内圧調整路８ａを開放すると、断熱外扉３の開放が困難となる程の庫内の陰圧の状態が解消される。
【００２５】
尚、第３部材８３を回転させる際、第３部材８３と第１部材８２との間に生じる摩擦力によって、第１部材８２及び第２部材８１に対しても当該回転と同じ方向に力がかかる。しかし、上記の通り、発泡断熱材５によって第１部材８２及び第２部材８１は、断熱筐体２の貫通孔２１ａ、２２ａにおいて、動かないように固定されている。よって、第３部材８３を回転させることに伴って、第１部材８２及び第２部材８１が共に回転してしまうことや、雌螺子８２ｂと雄螺子８１ｂとの螺合が外れてしまうことが防止される。
【００２６】
次に、取り外した第３部材８３を庫内圧調整路８ａに取り付け、庫内圧調整路８ａを閉塞した状態に戻す。具体的には、上記の第３部材８３を、雄螺子８３ｂと雌螺子８２ｂが螺合する方向に回転させて庫内圧調整路８ａに取り付ける。これによって、庫内圧調整路８ａを再び閉塞して、庫内圧調整路８ａから庫内の冷気が庫外へ漏れることを防ぐ。尚、図５Ａ及び図５Ｂにおいて、白抜き矢印によって、上記の螺合する方向が示されている。
【００２７】
以上の庫内圧調整装置８の操作によって、断熱外扉３の開放が困難となるような低温貯蔵庫１の庫内の陰圧の状態は解消される。よって、断熱外扉３及び断熱内扉７を容易に開放することができる。尚、図６に示す、低温貯蔵庫１に設けられた仕切り板７１は、低温貯蔵庫１の庫内を仕切るためのものである。
【００２８】
以上より、本実施形態に係る庫内圧調整装置８は、雌螺子８２ｂと雄螺子８１ｂとが螺合され、第１鍔部８２ａと第２鍔部８１ａとが断熱筐体２の壁面を押圧するように結合される第１部材８２及び第２部材８１からなる。よって、庫内圧調整装置８は、耐久性を備える簡単な構造からなり、低温貯蔵庫１の庫内の陰圧を確実に解消することができる。
【００２９】
雄螺子８１ｂと雌螺子８２ｂとの螺合によって、上記の第１筒部８２ｃの他端側は、第２筒部８１ｃの中空部分に上記の第２筒部８１ｃの他端側から挿入されていく。ここで、以下、中空部分に挿入された上記の第１筒部８２ｃの他端から、上記の第２筒部８１ｃの他端までの距離（図３ＢのＣによって示される距離）を雄螺子８１ｂと雌螺子８２ｂの螺合の長さと称する。また、以下、外箱２１の庫外側の壁面から、内箱２２の庫内側の壁面までの距離（図３ＢのＢによって示される距離）を断熱筐体２の厚さと称する。
【００３０】
雄螺子８１ｂと雌螺子８２ｂの螺合の長さを長くすることによって、第１鍔部８２ａと第２鍔部８１ａとの距離を短くすることができる。一方、雄螺子８１ｂと雌螺子８２ｂの螺合の長さを短くすることによって、第１鍔部８２ａと第２鍔部８１ａとの距離を長くすることができる。つまり、庫内圧調整装置８は、雄螺子８１ｂと雌螺子８２ｂの螺合の長さを調節することにより、第１鍔部８２ａと第２鍔部８１ａとの距離を、断熱筐体２の厚さに応じた距離にすることができる。よって、庫内圧調整装置８は、断熱筐体２の厚さに合わせて、低温貯蔵庫１に第１部材８２と第２部材８１とを設けることができるため、汎用性を有する。
【００３１】
第３部材８３において、雄螺子８３ｂと雌螺子８２ｂとの螺合によって、栓８３ｆが庫内圧調整路８ａにねじ込まれる。よって、第３部材８３を庫内圧調整路８ａに対してしっかりと固定することができる。また、第３部材８３において、雄螺子８３ｂと雌螺子８２ｂとの螺合によって、パッキン８３ｅが第１鍔部８２ａの開口の周囲に当接する。よって、第３部材８３は、庫内圧調整路８ａを確実に閉塞し、庫内圧調整路８ａから低温貯蔵庫１の庫内の冷気が庫外へ漏れることを防止できる。
【００３２】
また、第３部材８３は、上記の所定の長さの栓８３ｆを有するため、閉塞された庫内圧調整路８ａから庫外の熱が庫内に侵入することを防止できる。また、同様に、所定の長さの栓８３ｆは樹脂製なので熱が伝わりにくく、その為、第３部材８３の庫外側が冷たくなることを防止できる。よって、第３部材８３において、ツマミ８３ａに結露が生じることを防止できる。
【００３３】
庫内圧調整装置８は、低温貯蔵庫１における−Ｘ方向の左端側に、レバー６１及び係止部６２と共に設けられる。つまり、断熱筐体２及び断熱外扉３の側面に対して張り出す構成である、ツマミ８３ａ、レバー６１及び係止部６２は、低温貯蔵庫１において同じ方向にまとまって設けられる。これによって、低温貯蔵庫１が占めるスペースを省スペース化することができる。また、庫内圧調整装置８は、断熱外扉３を開放する際に操作されるレバー６１の近くに設けられる。よって、庫内圧調整装置８に手が届きやすく操作性がよい。
【００３４】
なお、上記実施例は本発明の理解を容易にするためのものであり、本発明を限定して解釈するためのものではない。本発明は、その趣旨を逸脱することなく、変更、改良され得ると共に、本発明にはその等価物も含まれる。
【００３５】
例えば、本実施形態では、第１部材８２と第２部材８１とが結合された状態において、外箱２１と内箱２２との間に発泡断熱材５が充填される構成としたが、これに限られるものではない。発泡断熱材５が外箱２１と内箱２２との間に充填された後に、貫通孔２１ａ、２２ａ及び貫通孔２１ａ、２２ａに対応する位置に設けられた発泡断熱材５を貫通する貫通孔において、第１部材８２と第２部材８１とが結合されてもよい。
【００３６】
また、本実施形態では、第１筒部８２ｃが貫通孔２１ａに外箱２１の庫外側から挿入され、第２筒部８１ｃが貫通孔２２ａに内箱２２の庫内側から挿入される構成としたが、これに限られるものではない。例えば、第１筒部８２ｃが貫通孔２２ａに内箱２２の庫内側から挿入され、第２筒部８１ｃが貫通孔２１ａに外箱２１の庫外側から挿入されることとしてもよい。その場合、雄螺子８１ｂと雌螺子８２ｂとが螺合されることにより、第１鍔部８２ａは内箱２２の壁面に庫内側から当接し、第２鍔部８１ａは外箱２１の壁面に庫外側から当接することになる。
【００３７】
また、本実施形態では、第１部材８２と、第２部材８１と、第３部材８３とを樹脂製としたが、これに限られるものではない。例えば、第３部材８３は、庫内圧調整路８ａに対して押し込むことが可能な弾性部材であってもよい。また、第１部材８２及び第２部材８１を金属製としてもよい。
【図面の簡単な説明】
【００３８】
【図１】本実施形態に係る低温貯蔵庫１の斜視図である。
【図２】図１において破線で囲んだ部分２ａを拡大して示した場合の庫内圧調整装置８の分解斜視図である。
【図３Ａ】本実施形態に係る低温貯蔵庫１の平面図である。
【図３Ｂ】図３Ａにおいて円２ｂで囲んだ部分を拡大した図である。
【図４Ａ】第３部材８３を取り外して、庫内圧調整路８ａを開放する場合の低温貯蔵庫１の様子を示す斜視図である。
【図４Ｂ】図４Ａにおいて破線で囲んだ部分２ａを拡大した斜視図である。
【図５Ａ】第３部材８３を庫内圧調整路８ａに取り付ける場合の低温貯蔵庫１の様子を示す斜視図である。
【図５Ｂ】図５Ａにおいて破線で囲んだ部分２ａを拡大した斜視図である。
【図６】断熱外扉３及び断熱内扉７を開放する場合の低温貯蔵庫１の様子を示す斜視図である。
【符号の説明】
【００３９】
１    低温貯蔵庫
２    断熱筐体
３    断熱外扉
５    発泡断熱材
８    庫内圧調整装置
８１  第２部材
８１ａ  第２鍔部
８１ｂ、８３ｂ  雄螺子
８１ｃ  第２筒部
８２  第１部材
８２ａ  第１鍔部
８２ｂ  雌螺子
８２ｃ  第１筒部
８３  第３部材
８３ａ  ツマミ
８３ｆ  栓
２１ａ、２２ａ  貫通孔
２１  外箱
２２  内箱
８ａ  庫内圧調整路
【図１】
2010025471.tif 000003
【図２】
2010025471.tif 000004
【図３Ａ】
2010025471.tif 000005
【図３Ｂ】
2010025471.tif 000006
【図４Ａ】
2010025471.tif 000007
【図４Ｂ】
2010025471.tif 000008
【図５Ａ】
2010025471.tif 000009
【図５Ｂ】
2010025471.tif 000010
【図６】
2010025471.tif 000011